(57)【要約】【課題】電子のラブと陽子のラブの質量になった物質は、はたして、ビッグバンの以前、電子のラブができる以前に存在したのか、存在しなかったのか。【解決手段】もし存在したなら、“この宇宙ができる以前の宇宙”で、−273℃の場で、自転だけしている電子のラブは、自分のエネルギーを7.028×1017分の1にし、7.028×1017個の電磁気に分離する。更に、7.96×107個の磁気の光子に分離する。1.628×10−56Kgの磁気の光子になる。それから、その磁気の光子は7.96×107個集まり、“質量になる物質”になる。もし存在しなかったとしたら、電子のラブと陽子のラブの質量になった物質は、放出した電磁気でできたと考えられる。質量は電磁気の最小単位である磁気の光子のエネルギーが質量に変換されたと考える。質量ができた場のエネルギーを地表のA倍とする。E=mc2×Aであるから、1個の磁気の光子のエネルギー＝1個の磁気の光子の質量×9×1016×A、です。【選択図】図２
2012085427.tif 000002
【特許請求の範囲】
【請求項１】
電子のラブと陽子のラブの質量になった物質は、はたして、ビッグバンの以前、電子のラブができる以前に存在したのか、存在しなかったのか。もし、存在したならば、それは、“この宇宙ができる以前の宇宙”で存在したと考えられる。“この宇宙ができる以前の宇宙”で、どのように“質量となる物質”はできたのか。
“質量となる物質”は“この宇宙ができる以前の宇宙”でできた。“質量となる物質”は“この宇宙ができる以前の宇宙”で電子のラブと陽子のラブであった。
“この宇宙ができる以前の宇宙”で電子のラブと陽子のラブはどのようにして“質量となる物質”になったか。
私は、特願2007−133476、において、次のように記した。
(ダークマターは、−273℃の場に存在し、公転できず、自転だけしている電子のラブと陽子のラブです。
−273℃の場で、電子のラブの公転軌道は、1.058×10−10m×(273)1/2＝1.058×10−10m×16.523＝1.748×10−9mです。
電子のラブの速度は、3.14×公転軌道×1秒間の公転数＝3.14×1.748×10−9m×(7.96×10７)2公転＝3.478×107mになり、光速に近くなり、公転できなくなる。それで、電子のラブは自転だけする。
−273℃の場で、陽子のラブの公転軌道は、5.764×10−14m×(273)1/2＝5.764×10−14m×16.523＝9.524×10−13mです。
陽子のラブの速度は、3.14×公転軌道×1秒間の公転数＝3.14×9.524×10−13m×7.96×107×4.34×104公転＝1.033×10mになり、公転できなくなる。それで、陽子のラブは公転できなくなり自転だけする。)
このダークマターは、更にエネルギーが減少し、1個の電磁気に分離する。電子のラブは、自転しているものが、7.028×1017個の電磁気に分離する。陽子のラブは自転しているものが、1.289×1021個の電磁気に分離する。
・それでは、どのように電子のラブは、自転しているものが、7.028×1017個の電磁気に分離するのでしょうか。
電子のラブが生成するときには、エネルギーが増加する必要があった。
電子のラブが崩壊するときには、エネルギーが減少する必要がある。
A=−2731/2の場で自転する。更に−7.028×1017の場で7.028×1017個の電磁気に分離する。
A=−2731/2×7.028×1017＝−16.523×7.028×1017＝−1.161×1019、の場で、7.028×1017個の電磁気に分離する。
電子のラブが7.028×1017個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(1.161×1019)＝10−50J、です。
電子のラブは、自転しているものが、7.028×1017個の電磁気に分離した。1個の電磁気の大きさはいくらか。
−273℃の場の電子のラブの自転軌道は、3.14×公転軌道÷1公転の自転数＝3.14×1.058×10−10m×(273)1/2÷(7.96×10７)＝3.14×1.748×10−9m÷(7.96×10７)＝6.895×10−17m、です。
これが、7.028×1017個の電磁気に分離するのですから、１辺の電磁気の個数は、(7.028×1017個)1/3=(702.8×1015個)1/3=8.891×105個、です。
電磁気1個の直径は、6.895×10−17m÷(8.891×105個)＝7.755×10−23m、です。
よって、電子のラブから分離した電磁気の性質は、質量は1.296×10−48Kgです。質量エネルギーは10−50Jです。大きさは7.755×10−23mです。
・それでは、どのように陽子のラブは、自転しているものが、1.289×1021個の電磁気に分離するのでしょうか。
A=−2731/2の場で自転する。更に−1.289×1021の場で1.289×1021個の電磁気に分離する。
A=−2731/2×1.289×1021＝−16.523×1.289×1021＝−2.130×1022、の場で、1.289×1021個の電磁気に分離する。
陽子のラブが1.289×1021個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(2.130×1022)＝5.476×10−54J、です。
陽子のラブは、自転しているものが、1.289×1021個の電磁気に分離した。1個の電磁気の大きさはいくらか。
−273℃の場の陽子のラブの自転軌道は、3.14×公転軌道÷1公転の自転数＝3.14×5.764×10−14m×(273)1/2÷(4.34×104)＝3.14×9.524×10−13m÷(4.34×104)＝6.891×10−17m、です。
これが、1.289×1021個の電磁気に分離するのですから、１辺の電磁気の個数は、(1.289×1021個)1/3=1.088×107個、です。
電磁気1個の直径は、6.891×10−17m÷(1.088×107個)＝6.334×10−24m、です。
よって、陽子のラブから分離した電磁気の性質は、質量は1.296×10−48Kgです。質量エネルギーは5.476×10−54J です。大きさは6.334×10−24m です。
【請求項２】
−273℃以下の温度は存在しません。−(7.028×1017)2℃の温度は存在しません。それでは、A=−1.161×1019の場とはどのようなことでしょうか。
それは、場の温度ではありません。場のエネルギーではありません。それは電子のラブ自体のエネルギーの事です。
それは電子のラブのエネルギーが減少し、電子のラブが自転できなくなる事です。
電子のラブが自転できなくなる時、電子のラブのエネルギーはいくらか。
電子のラブのエネルギー＝mｃ２÷A=電子のラブの質量×9×1016÷A=9.1095×10−31Kg×9×1016÷(1.161×1019)＝7.062×10−33J
電子のラブのエネルギーが1.161×1019分の1になり、7.062×10−33Jになると、自転もできず、それ自体としては存在できず、7.028×1017個の電磁気に分離する。
7.028×1017個に分離した質量エネルギーは、電子のラブのエネルギー÷分離した数＝7.062×10−33J÷(7.028×1017個)＝1.005×10−50J、です。
【請求項３】
電子のラブや陽子のラブが自転だけを行い、更にエネルギーが減少し、電磁気に分離し、更に磁気の光子に分離したとき、分離した磁気の光子はどのようであるか。
電子のラブから分離した場合。
分離した磁気の光子の質量は、電子のラブから分離した電磁気の質量÷磁気の光子の数＝1.296×10−48Kg÷(7.96×107)＝1.628×10−56Kg、です。
分離した磁気の光子の質量エネルギーは、mc2÷A=1.628×10−56Kg×9×1016÷(1.161×1019)＝1.262×10−58J、です。
分離した磁気の光子の大きさは、電磁気の大きさ×3.14÷磁気の光子の数＝7.755×10−23m×3.14÷(7.96×107個)＝3.059×10−30m、です。
これらの、分離した磁気の光子が7.96×107個集まって“質量となる物質”になる。
陽子のラブから分離した場合。
分離した磁気の光子の質量は、陽子のラブから分離した電磁気の質量÷磁気の光子の数＝1.296×10−48Kg÷(4.34×104)＝2.986×10−53Kg、です。
分離した磁気の光子の質量エネルギーは、mc2÷A=2.986×10−53Kg×9×1016÷(2.130×1022)＝1.262×10−58J、です。
分離した磁気の光子の大きさは、電磁気の大きさ×3.14÷磁気の光子の数＝6.334×10−24m×3.14÷(4.34×104個)＝4.583×10−28m、です。
これらの、分離した磁気の光子が4.34×104個集まって“質量となる物質”になる。
【請求項４】
電子のラブと陽子のラブの質量になった物質は、はたして、ビッグバンの以前、電子のラブができる以前に存在したのか、存在しなかったのか。もし存在しなかったとしたら、電子のラブと陽子のラブの質量になった物質は、放出した電磁気でできたと考えられる。どのようにして、放出した電磁気で、電子のラブの質量と陽子のラブの質量はできたか。
質量は電磁気の最小単位である磁気の光子のエネルギーが質量に変換されたと考える。1つの電磁気の輪には、7.96×107個の磁気の光子が存在する。
1個の磁気の光子の質量は、１つの電磁気の質量÷磁気の光子の数＝1.296×10−48Kg÷(7.96×107個)＝1.628×10−56Kg、です。
1個の磁気の光子のエネルギーは、1個の電磁気のエネルギー÷磁気の光子の数＝1個の電磁気のエネルギー÷(7.96×107個)
質量ができた場のエネルギーを地表のA倍とする。
E=mc2×Aであるから、1個の磁気の光子のエネルギー＝1個の磁気の光子の質量×9×1016×A、です。
1個の電磁気のエネルギー÷(7.96×107個)＝1.628×10−56Kg×9×1016×A
A=1個の電磁気のエネルギー÷(7.96×107個)÷(1.628×10−56Kg×9×1016)＝1個の電磁気のエネルギー÷(7.96×107個)÷(1.465×10−39J)
この式により質量ができた場のAを求める。
1eVの場合。
1個の磁気の光子のエネルギーは、1.602×10−19J÷(7.96×107個)＝2.013×10−27J、です。この質量は1.628×10−56Kgです。
2.013×10−27J＝1.628×10−56Kg×9×1016×A
A=2.013×10−27J÷(1.628×10−56Kg×9×1016)＝2.013×10−27J÷(1.465×10−39J)＝1.374×1012
質量は、A=1.374×1012の場でできた。
2.154×10−19Jの場合。
1個の磁気の光子のエネルギーは、2.154×10−19J÷(7.96×107個)＝2.706×10−27J、です。この質量は1.628×10−56Kgです。
2.706×10−27J＝1.628×10−56Kg×9×1016×A
A=2.706×10−27J÷(1.628×10−56Kg×9×1016)＝2.706×10−27J÷(1.465×10−39J)＝1.847×1012
質量は、A=1.847×1012の場でできた。
1.423×10−18Jの場合。
1個の磁気の光子のエネルギーは、1.423×10−18J÷(7.96×107個)＝1.788×10−26J、です。この質量は1.628×10−56Kgです。
1.788×10−26J＝1.628×10−56Kg×9×1016×A
A=1.788×10−26J÷(1.628×10−56Kg×9×1016)＝1.788×10−28J÷(1.465×10−39J)＝1.220×1013
質量は、A=1.220×1013の場でできた。
1.233×10−17Jの場合。
1個の磁気の光子のエネルギーは、1.233×10−17J÷(7.96×107個)＝1.549×10−25J、です。この質量は1.628×10−56Kgです。
1.549×10−25J＝1.628×10−56Kg×9×1016×A
A=1.549×10−25J÷(1.628×10−56Kg×9×1016)＝1.549×10−25J÷(1.465×10−39J)＝1.057×1014
質量は、A=1.057×1014の場でできた。
4.499×10−15Jの場合。
1個の磁気の光子のエネルギーは、4.499×10−15J÷(7.96×107個)＝5.652×10−23J、です。この質量は1.628×10−56Kgです。
5.652×10−23J＝1.628×10−56Kg×9×1016×A
A=5.652×10−23J÷(1.628×10−56Kg×9×1016)＝5.652×10−23J÷(1.465×10−39J)＝3.858×1016
質量は、A=3.858×1016の場でできた。
【請求項５】
質量ができた場のAは、放出した電磁気のエネルギーの何倍か。
質量ができた場のA÷放出した電磁気のエネルギー、を求める。
１eVの場合。
質量ができた場のA÷放出した電磁気のエネルギー＝1.374×1012÷(1.602×10−19J)＝8.577×1030(倍)
2.154×10−19Jの場合。
質量ができた場のA÷放出した電磁気のエネルギー＝1.847×1012÷(2.154×10−19J)＝8.574×1030(倍)
1.423×10−18Jの場合。
質量ができた場のA÷放出した電磁気のエネルギー＝1.220×1013÷(1.423×10−18J)＝8.573×1030(倍)
1.233×10−17Jの場合。
質量ができた場のA÷放出した電磁気のエネルギー＝1.057×1014÷(1.233×10−17J)＝8.573×1030(倍)
4.499×10−15Jの場合。
質量ができた場のA÷放出した電磁気のエネルギー＝3.858×1016÷(4.499×10−15J)＝8.575×1030(倍)
よって、質量ができた場のAは、放出した電磁気のエネルギーの8.574×1030倍です。
質量ができた場は、放出した電磁気のエネルギーの8.574×1030倍のエネルギーの場です。
質量ができた場のA＝8.574×1030a
【請求項６】
質量ができた場のAと、電子のラブができた場のAと陽子のラブができた場のAとの関係はどのようであるか。
一般式より求める。
陽子のラブができる場のA÷電子のラブができる場のA=3.421×1041a÷(1.865×1038a)=1.834×103
電子のラブができる場のA÷質量ができた場のA＝1.865×1038a÷(8.574×1030a)＝2.175×107
陽子のラブができる場のAは電子のラブができる場のAの1.834×103倍です。
電子のラブができる場のAは質量ができた場のAの2.175×107倍です。
【請求項７】
質量ができた場において、磁気の光子の大きさはいくらか。
質量ができた場において、磁気の光子の大きさ＝3.14×電磁気の軌道÷磁気の光子の数÷A、を求める。
電磁気の軌道＝1.233×10−41Jm÷電磁気のエネルギー
よって、磁気の光子の大きさ＝3.14×電磁気の軌道÷磁気の光子の数÷A=3.14×1.233×10−41Jm÷電磁気のエネルギー÷(7.96×107個)÷A＝4.864×10−49÷電磁気のエネルギー÷A
１eVの場合。
4.864×10−49÷電磁気のエネルギー÷A＝4.864×10−49÷(1.602×10−19J)÷(1.374×1012)＝2.210×10−42m。
2.154×10−19Jの場合。
4.864×10−49÷電磁気のエネルギー÷A＝4.864×10−49÷(2.154×10−19J)÷(1.847×1012)＝1.223×10−42m。
1.423×10−18Jの場合。
4.864×10−49÷電磁気のエネルギー÷A＝4.864×10−49÷(1.423×10−18J)÷(1.220×1013)＝2.802×10−44m。
1.233×10−17Jの場合。
4.864×10−49÷電磁気のエネルギー÷A＝4.864×10−49÷(1.233×10−17J)÷(1.057×1014)＝3.732×10−46m。
4.499×10−15Jの場合。
4.864×10−49÷電磁気のエネルギー÷A＝4.864×10−49÷(4.499×10−15J)÷(3.858×1016)＝2.802×10−51m。
【請求項８】
質量ができた場において、磁気の光子はどのようであったか。
質量ができた場において、磁気の光子は、磁気の光子の大きさに、1.628×10−56Kgの質量を持った。磁気の光子の質量÷磁気の光子の大きさはいくらか。磁気の光子の質量エネルギーは、E=mc2×Aです。
１eVの場合。
磁気の光子の質量ができた場、A=1.374×1012において、磁気の光子は、磁気の光子の大きさ2.210×10−42mに、1.628×10−56Kgの質量を持った。
磁気の光子の質量÷磁気の光子の大きさ＝1.628×10−56Kg÷(2.210×10−42m)＝7.367×10−15Kg/m。
磁気の光子の質量エネルギーは、E=mc2×A＝1.628×10−56Kg×9×1016×1.374×1012＝2.013×10−27J、です。
2.154×10−19Jの場合。
磁気の光子の質量ができた場、A=1.847×1012において、磁気の光子は、磁気の光子の大きさ1.223×10−42mに、1.628×10−56Kgの質量を持った。
磁気の光子の質量÷磁気の光子の大きさ＝1.628×10−56Kg÷(1.223×10−42m)＝1.331×10−14Kg/m。
磁気の光子の質量エネルギーは、E=mc2×A＝1.628×10−56Kg×9×1016×1.847×1012＝2.706×10−27J、です。
1.423×10−18Jの場合。
磁気の光子の質量ができた場、A=1.220×1013において、磁気の光子は、磁気の光子の大きさ2.802×10−44mに、1.628×10−56Kgの質量を持った。
磁気の光子の質量÷磁気の光子の大きさ＝1.628×10−56Kg÷(2.802×10−44m)＝5.810×10−13Kg/m。
磁気の光子の質量エネルギーは、E=mc2×A＝1.628×10−56Kg×9×1016×1.220×1013＝1.788×10−26J、です。
1.233×10−17Jの場合。
磁気の光子の質量ができた場、A=1.057×1014において、磁気の光子は、磁気の光子の大きさ3.732×10−46に、1.628×10−56Kgの質量を持った。
磁気の光子の質量÷磁気の光子の大きさ＝1.628×10−56Kg÷(3.732×10−46)＝4.362×10−11Kg/m。
磁気の光子の質量エネルギーは、E=mc2×A＝1.628×10−56Kg×9×1016×1.057×1014＝1.549×10−25J、です。
4.499×10−15Jの場合。
磁気の光子の質量ができた場、A=3.858×1016において、磁気の光子は、磁気の光子の大きさ2.802×10−51m に、1.628×10−56Kgの質量を持った。
磁気の光子の質量÷磁気の光子の大きさ＝1.628×10−56Kg÷(2.802×10−51m)＝5.810×10−6Kg/m。
磁気の光子の質量エネルギーは、E=mc2×A＝1.628×10−56Kg×9×1016×3.858×1016＝5.653×10−23J、です。
【請求項９】
質量ができた場において、磁気の光子はどのようになったか。
質量をもった磁気の光子は、7.96×107個集まって、1.628×10−56Kg×7.96×107個＝1.296×10−48Kgの質量になった。
これが1個の電磁気の質量です。
質量エネルギーは、E=mc2×A、です。
１eVの場合。
質量ができた場、A=1.374×1012において、磁気の光子は7.96×107個集まって、1.296×10−48Kgの質量になった。
質量エネルギーは、E=mc2×A＝1.296×10−48Kg×9×1016×1.374×1012＝1.603×10−19J、です。
2.154×10−19Jの場合。
質量ができた場、A=1.847×1012において、磁気の光子は7.96×107個集まって、1.296×10−48Kgの質量になった。
質量エネルギーは、E=mc2×A＝1.296×10−48Kg×9×1016×1.847×1012＝2.154×10−19J、です。
1.423×10−18Jの場合。
質量ができた場、A=1.220×1013において、磁気の光子は7.96×107個集まって、1.296×10−48Kgの質量になった。
質量エネルギーは、E=mc2×A＝1.296×10−48Kg×9×1016×1.220×1013＝1.423×10−18J、です。
1.233×10−17Jの場合。
質量ができた場、A=1.057×1014において、磁気の光子は7.96×107個集まって、1.296×10−48Kgの質量になった。
質量エネルギーは、E=mc2×A＝1.296×10−48Kg×9×1016×1.057×1014＝1.233×10−1７J、です。
4.499×10−15Jの場合。
質量ができた場、A=3.858×1016において、磁気の光子は7.96×107個集まって、1.296×10−48Kgの質量になった。
質量エネルギーは、E=mc2×A＝1.296×10−48Kg×9×1016×3.858×1016＝4.500×10−15J、です。
【請求項１０】
電子のラブと陽子のラブの質量になった物質は、はたして、ビッグバンの以前、電子のラブができる以前に存在したのか、存在しなかったのか。どちらが正しいか。
もし、電子のラブと陽子のラブの質量になった物質は、ビッグバンの以前、電子のラブができる以前に存在したとすると、宇宙ができた時、宇宙の1番初めにも、電子のラブと陽子のラブの質量になった物質は存在したことになる。電子のラブと陽子のラブの質量になった物質は存在したのであれば、この状態は物質が存在した状態であり、宇宙の1番初めでは無い。よって、電子のラブと陽子のラブの質量になった物質は、電子のラブができる以前に存在しなかった。
【発明の詳細な説明】
【技術分野】
【０００１】
本発明は、電子と陽子がどのようにできたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2010−224430において次のように記した。
(ビッグバンの以前、電子のラブができる以前、放出した電磁気はどうして“質量となる物質”を吸収できたか。“質量を持つ電磁気”1個の質量はいくらか。そのエネルギーと引力はいくらか。電子のラブと陽子のラブが“質量を持つ電磁気”の集合体である事は何で証明できるか。
電磁気1個の輪の引力と、ブラックホールの場の1個の電子のラブが作る引力を比較する。“質量を持つ電磁気”1個の質量＝電子のラブの質量÷電子のラブの電磁気数＝9.1098×10−31Kg÷(7.028×1017個)＝1.296×10−48Kg。“質量を持つ電磁気”1個のエネルギー＝1.296×10−48Kg×9×1016×A。“質量を持つ電磁気”1個の引力＝8.168×10−6J/Kg×1.296×10−48Kg×A = 1.059×10−53J×A。電子のラブと陽子のラブは自転し磁気の光子を作り、公転し電気の光子を作るのは、電磁気の集合体である証拠です。)
【先行技術文献】
【特許文献】
【０００３】
【特許文献１】特願２００６−３３６３５２
【特許文献２】特願２００６−３５７５５０
【特許文献３】特願２００７−１１２３８９
【特許文献４】特願２００７−１３３４７６
【特許文献５】特願２００７−１５０７５９
【特許文献６】特願２００７−２７９６１７
【特許文献７】特願２００８−１６２５５３
【特許文献８】特願２００９−２１８１９２
【特許文献９】特願２０１０−１９５０２９
【特許文献１０】特願２０１０−２１０１４１
【特許文献１１】特願２０１０−２２４４３０
【発明の概要】
【発明が解決しようとする課題】
【０００４】
解決しようとする課題を次に記す。
１．電子のラブと陽子のラブの質量になった物質は、はたして、ビッグバンの以前、電子のラブができる以前に存在したのか、存在しなかったのか。もし、存在したならば、それは、“この宇宙ができる以前の宇宙”で存在したと考えられる。“この宇宙ができる以前の宇宙”で、どのように“質量となる物質”はできたのか。
２．−273℃以下の温度は存在しません。−(7.028×1017)2℃の温度は存在しません。それでは、A=−1.161×1019の場とはどのようなことでしょうか。
３．電子のラブや陽子のラブが自転だけを行い、更にエネルギーが減少し、電磁気に分離し、更に磁気の光子に分離したとき、分離した磁気の光子はどのようであるか。
４．電子のラブと陽子のラブの質量になった物質は、はたして、ビッグバンの以前、電子のラブができる以前に存在したのか、存在しなかったのか。もし存在しなかったとしたら、電子のラブと陽子のラブの質量になった物質は、放出した電磁気でできたと考えられる。どのようにして、放出した電磁気で、電子のラブの質量と陽子のラブの質量はできたか。
５．質量ができた場のAは、放出した電磁気のエネルギーの何倍か。
６．質量ができた場のAと、電子のラブができた場のAと陽子のラブができた場のAとの関係はどのようであるか。
７．質量ができた場において、磁気の光子の大きさはいくらか。
８．質量ができた場において、磁気の光子はどのようであったか。
９．質量ができた場において、磁気の光子はどのようになったか。
１０．電子のラブと陽子のラブの質量になった物質は、はたして、ビッグバンの以前、電子のラブができる以前に存在したのか、存在しなかったのか。どちらが正しいか。
【課題を解決するための手段】
【０００５】
１．電子のラブと陽子のラブの質量になった物質は、はたして、ビッグバンの以前、電子のラブができる以前に存在したのか、存在しなかったのか。もし、存在したならば、それは、“この宇宙ができる以前の宇宙”で存在したと考えられる。“この宇宙ができる以前の宇宙”で、どのように“質量となる物質”はできたのか。
“質量となる物質”は“この宇宙ができる以前の宇宙”でできた。“質量となる物質”は“この宇宙ができる以前の宇宙”で電子のラブと陽子のラブであった。
“この宇宙ができる以前の宇宙”で電子のラブと陽子のラブはどのようにして“質量となる物質”になったか。
私は、特願2007−133476、において、次のように記した。
(ダークマターは、−273℃の場に存在し、公転できず、自転だけしている電子のラブと陽子のラブです。
−273℃の場で、電子のラブの公転軌道は、1.058×10−10m×(273)1/2＝1.058×10−10m×16.523＝1.748×10−9mです。
電子のラブの速度は、3.14×公転軌道×1秒間の公転数＝3.14×1.748×10−9m×(7.96×10７)2公転＝3.478×107mになり、光速に近くなり、公転できなくなる。それで、電子のラブは自転だけする。
−273℃の場で、陽子のラブの公転軌道は、5.764×10−14m×(273)1/2＝5.764×10−14m×16.523＝9.524×10−13mです。
陽子のラブの速度は、3.14×公転軌道×1秒間の公転数＝3.14×9.524×10−13m×7.96×107×4.34×104公転＝1.033×10mになり、公転できなくなる。それで、陽子のラブは公転できなくなり自転だけする。)
このダークマターは、更にエネルギーが減少し、1個の電磁気に分離する。自転している電子のラブは、7.028×1017個の電磁気に分離する。自転している陽子のラブは、1.289×1021個の電磁気に分離する。
・それでは、どのように、自転している電子のラブは、7.028×1017個の電磁気に分離するのでしょうか。
電子のラブが生成するときには、エネルギーが増加する必要があった。
電子のラブが崩壊するときには、エネルギーが減少する必要がある。
A=−2731/2の場で自転する。更に−7.028×1017の場で7.028×1017個の電磁気に分離する。
A=−2731/2×7.028×1017＝−16.523×7.028×1017＝−1.161×1019、の場で、7.028×1017個の電磁気に分離する。
電子のラブが7.028×1017個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(1.161×1019)＝10−50J、です。
電子のラブは、自転しているものが、7.028×1017個の電磁気に分離した。1個の電磁気の大きさはいくらか。
−273℃の場の電子のラブの自転軌道は、3.14×公転軌道÷1公転の自転数＝3.14×1.058×10−10m×(273)1/2÷(7.96×10７)＝3.14×1.748×10−9m÷(7.96×10７)＝6.895×10−17m、です。
これが、7.028×1017個の電磁気に分離するのですから、１辺の電磁気の個数は、(7.028×1017個)1/3=(702.8×1015個)1/3=8.891×105個、です。
電磁気1個の直径は、6.895×10−17m÷(8.891×105個)＝7.755×10−23m、です。
よって、電子のラブから分離した電磁気の性質は、質量は1.296×10−48Kgです。質量エネルギーは10−50Jです。大きさは7.755×10−23mです。
・それでは、どのように、自転している陽子のラブは、1.289×1021個の電磁気に分離するのでしょうか。
A=−2731/2の場で自転する。更に−1.289×1021の場で1.289×1021個の電磁気に分離する。
A=−2731/2×1.289×1021＝−16.523×1.289×1021＝−2.130×1022、の場で、1.289×1021個の電磁気に分離する。
陽子のラブが1.289×1021個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(2.130×1022)＝5.476×10−54J、です。
陽子のラブは、自転しているものが、1.289×1021個の電磁気に分離した。1個の電磁気の大きさはいくらか。
−273℃の場の陽子のラブの自転軌道は、3.14×公転軌道÷1公転の自転数＝3.14×5.764×10−14m×(273)1/2÷(4.34×104)＝3.14×9.524×10−13m÷(4.34×104)＝6.891×10−17m、です。
これが、1.289×1021個の電磁気に分離するのですから、１辺の電磁気の個数は、(1.289×1021個)1/3=1.088×107個、です。
電磁気1個の直径は、6.891×10−17m÷(1.088×107個)＝6.334×10−24m、です。
よって、陽子のラブから分離した電磁気の性質は、質量は1.296×10−48Kgです。質量エネルギーは5.476×10−54J です。大きさは6.334×10−24m です。
２．−273℃以下の温度は存在しません。−(7.028×1017)2℃の温度は存在しません。それでは、A=−1.161×1019の場とはどのようなことでしょうか。
それは、場の温度ではありません。場のエネルギーではありません。それは電子のラブ自体のエネルギーの事です。
それは電子のラブのエネルギーが減少し、電子のラブが自転できなくなる事です。
電子のラブが自転できなくなる時、電子のラブのエネルギーはいくらか。
電子のラブのエネルギー＝mｃ２÷A=電子のラブの質量×9×1016÷A=9.1095×10−31Kg×9×1016÷(1.161×1019)＝7.062×10−33J
電子のラブのエネルギーが1.161×1019分の1になり、7.062×10−33Jになると、自転もできず、それ自体としては存在できず、7.028×1017個の電磁気に分離する。
7.028×1017個に分離した質量エネルギーは、電子のラブのエネルギー÷分離した数＝7.062×10−33J÷(7.028×1017個)＝1.005×10−50J、です。
３．電子のラブや陽子のラブが自転だけを行い、更にエネルギーが減少し、電磁気に分離し、更に磁気の光子に分離したとき、分離した磁気の光子はどのようであるか。
電子のラブから分離した場合。
分離した磁気の光子の質量は、電子のラブから分離した電磁気の質量÷磁気の光子の数＝1.296×10−48Kg÷(7.96×107)＝1.628×10−56Kg、です。
分離した磁気の光子の質量エネルギーは、mc2÷A=1.628×10−56Kg×9×1016÷(1.161×1019)＝1.262×10−58J、です。
分離した磁気の光子の大きさは、電磁気の大きさ×3.14÷磁気の光子の数＝7.755×10−23m×3.14÷(7.96×107個)＝3.059×10−30m、です。
これらの、分離した磁気の光子が7.96×107個集まって“質量となる物質”になる。
陽子のラブから分離した場合。
分離した磁気の光子の質量は、陽子のラブから分離した電磁気の質量÷磁気の光子の数＝1.296×10−48Kg÷(4.34×104)＝2.986×10−53Kg、です。
分離した磁気の光子の質量エネルギーは、mc2÷A=2.986×10−53Kg×9×1016÷(2.130×1022)＝1.262×10−58J、です。
分離した磁気の光子の大きさは、電磁気の大きさ×3.14÷磁気の光子の数＝6.334×10−24m×3.14÷(4.34×104個)＝4.583×10−28m、です。
これらの、分離した磁気の光子が4.34×104個集まって“質量となる物質”になる。
まとめて表に示す。
表1
2012085427.tif 000003
４．電子のラブと陽子のラブの質量になった物質は、はたして、ビッグバンの以前、電子のラブができる以前に存在したのか、存在しなかったのか。もし存在しなかったとしたら、電子のラブと陽子のラブの質量になった物質は、放出した電磁気でできたと考えられる。どのようにして、放出した電磁気で、電子のラブの質量と陽子のラブの質量はできたか。
質量は電磁気の最小単位である磁気の光子のエネルギーが質量に変換されたと考える。1つの電磁気の輪には、7.96×107個の磁気の光子が存在する。
1個の磁気の光子の質量は、１つの電磁気の質量÷磁気の光子の数＝1.296×10−48Kg÷(7.96×107個)＝1.628×10−56Kg、です。
1個の磁気の光子のエネルギーは、1個の電磁気のエネルギー÷磁気の光子の数＝1個の電磁気のエネルギー÷(7.96×107個)
質量ができた場のエネルギーを地表のA倍とする。
E=mc2×Aであるから、1個の磁気の光子のエネルギー＝1個の磁気の光子の質量×9×1016×A、です。
1個の電磁気のエネルギー÷(7.96×107個)＝1.628×10−56Kg×9×1016×A
A=1個の電磁気のエネルギー÷(7.96×107個)÷(1.628×10−56Kg×9×1016)＝1個の電磁気のエネルギー÷(7.96×107個)÷(1.465×10−39J)
この式により質量ができた場のAを求める。
５．質量ができた場のAは、放出した電磁気のエネルギーの何倍か。
質量ができた場のA÷放出した電磁気のエネルギー、を求める。
６．質量ができた場のAと、電子のラブができた場のAと陽子のラブができた場のAとの関係はどのようであるか。
一般式より求める。
陽子のラブができる場のA÷電子のラブができる場のA=3.421×1041a÷(1.865×1038a)=1.834×103
電子のラブができる場のA÷質量ができた場のA＝1.865×1038a÷(8.574×1030a)＝2.175×107
陽子のラブができる場のAは電子のラブができる場のAの1.834×103倍です。
電子のラブができる場のAは質量ができた場のAの2.175×107倍です。
７．質量ができた場において、磁気の光子の大きさはいくらか。
質量ができた場において、磁気の光子の大きさ＝3.14×電磁気の軌道÷磁気の光子の数÷A、を求める。
電磁気の軌道＝1.233×10−41Jm÷電磁気のエネルギー
よって、磁気の光子の大きさ＝3.14×電磁気の軌道÷磁気の光子の数÷A=3.14×1.233×10−41Jm÷電磁気のエネルギー÷(7.96×107個)÷A＝4.864×10−49÷電磁気のエネルギー÷A
この式により、磁気の光子の大きさを求める。
８．質量ができた場において、磁気の光子はどのようであったか。
質量ができた場において、磁気の光子は、磁気の光子の大きさに、1.628×10−56Kgの質量を持った。磁気の光子の質量÷磁気の光子の大きさはいくらか。磁気の光子の質量エネルギーは、E=mc2×Aです。
この式により、磁気の光子の質量÷磁気の光子の大きさ、と磁気の光子の質量エネルギーを求める。
９．質量ができた場において、磁気の光子はどのようになったか。
質量をもった磁気の光子は、7.96×107個集まって、1.628×10−56Kg×7.96×107個＝1.296×10−48Kgの質量になった。
これが1個の電磁気の質量です。
質量エネルギーは、E=mc2×A、です。
この式により、質量をもった磁気の光子が7.96×107個集まった1個の電磁気の質量エネルギーを求める。
１０．電子のラブと陽子のラブの質量になった物質は、はたして、ビッグバンの以前、電子のラブができる以前に存在したのか、存在しなかったのか。どちらが正しいか。
もし、電子のラブと陽子のラブの質量になった物質は、ビッグバンの以前、電子のラブができる以前に存在したとすると、宇宙ができた時、宇宙の1番初めにも、電子のラブと陽子のラブの質量になった物質は存在したことになる。電子のラブと陽子のラブの質量になった物質は存在したのであれば、この状態は物質が存在した状態であり、宇宙の1番初めでは無い。よって、電子のラブと陽子のラブの質量になった物質は、電子のラブができる以前に存在しなかった。
【発明の効果】
【０００６】
次の事が理解できた。
１．電子のラブと陽子のラブの質量になった物質は、はたして、ビッグバンの以前、電子のラブができる以前に存在したのか、存在しなかったのか。もし、存在したならば、それは、“この宇宙ができる以前の宇宙”で存在したと考えられる。“この宇宙ができる以前の宇宙”で、どのように“質量となる物質”はできたのか。
“質量となる物質”は“この宇宙ができる以前の宇宙”でできた。“質量となる物質”は“この宇宙ができる以前の宇宙”で電子のラブと陽子のラブであった。
“この宇宙ができる以前の宇宙”で電子のラブと陽子のラブはどのようにして“質量となる物質”になったか。
私は、特願2007−133476、において、次のように記した。
(ダークマターは、−273℃の場に存在し、公転できず、自転だけしている電子のラブと陽子のラブです。
−273℃の場で、電子のラブの公転軌道は、1.058×10−10m×(273)1/2＝1.058×10−10m×16.523＝1.748×10−9mです。
電子のラブの速度は、3.14×公転軌道×1秒間の公転数＝3.14×1.748×10−9m×(7.96×10７)2公転＝3.478×107mになり、光速に近くなり、公転できなくなる。それで、電子のラブは自転だけする。
−273℃の場で、陽子のラブの公転軌道は、5.764×10−14m×(273)1/2＝5.764×10−14m×16.523＝9.524×10−13mです。
陽子のラブの速度は、3.14×公転軌道×1秒間の公転数＝3.14×9.524×10−13m×7.96×107×4.34×104公転＝1.033×10mになり、公転できなくなる。それで、陽子のラブは公転できなくなり自転だけする。)
このダークマターは、更にエネルギーが減少し、1個の電磁気に分離する。自転している電子のラブは、7.028×1017個の電磁気に分離する。自転している陽子のラブは、1.289×1021個の電磁気に分離する。
・それでは、どのように、自転している電子のラブが、7.028×1017個の電磁気に分離するのでしょうか。
電子のラブが生成するときには、エネルギーが増加する必要があった。
電子のラブが崩壊するときには、エネルギーが減少する必要がある。
A=−2731/2の場で自転する。更に−7.028×1017の場で7.028×1017個の電磁気に分離する。
A=−2731/2×7.028×1017＝−16.523×7.028×1017＝−1.161×1019、の場で、7.028×1017個の電磁気に分離する。
電子のラブが7.028×1017個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(1.161×1019)＝10−50J、です。
電子のラブは、自転しているものが、7.028×1017個の電磁気に分離した。1個の電磁気の大きさはいくらか。
−273℃の場の電子のラブの自転軌道は、3.14×公転軌道÷1公転の自転数＝3.14×1.058×10−10m×(273)1/2÷(7.96×10７)＝3.14×1.748×10−9m÷(7.96×10７)＝6.895×10−17m、です。
これが、7.028×1017個の電磁気に分離するのですから、１辺の電磁気の個数は、(7.028×1017個)1/3=(702.8×1015個)1/3=8.891×105個、です。
電磁気1個の直径は、6.895×10−17m÷(8.891×105個)＝7.755×10−23m、です。
よって、電子のラブから分離した電磁気の性質は、質量は1.296×10−48Kgです。質量エネルギーは10−50Jです。大きさは7.755×10−23mです。
・それでは、どのように陽子のラブは、自転しているものが、1.289×1021個の電磁気に分離するのでしょうか。
A=−2731/2の場で自転する。更に−1.289×1021の場で1.289×1021個の電磁気に分離する。
A=−2731/2×1.289×1021＝−16.523×1.289×1021＝−2.130×1022、の場で、1.289×1021個の電磁気に分離する。
陽子のラブが1.289×1021個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(2.130×1022)＝5.476×10−54J、です。
陽子のラブは、自転しているものが、1.289×1021個の電磁気に分離した。1個の電磁気の大きさはいくらか。
−273℃の場の陽子のラブの自転軌道は、3.14×公転軌道÷1公転の自転数＝3.14×5.764×10−14m×(273)1/2÷(4.34×104)＝3.14×9.524×10−13m÷(4.34×104)＝6.891×10−17m、です。
これが、1.289×1021個の電磁気に分離するのですから、１辺の電磁気の個数は、(1.289×1021個)1/3=1.088×107個、です。
電磁気1個の直径は、6.891×10−17m÷(1.088×107個)＝6.334×10−24m、です。
よって、陽子のラブから分離した電磁気の性質は、質量は1.296×10−48Kgです。質量エネルギーは5.476×10−54J です。大きさは6.334×10−24m です。
２．−273℃以下の温度は存在しません。−(7.028×1017)2℃の温度は存在しません。それでは、A=−1.161×1019の場とはどのようなことでしょうか。
それは、場の温度ではありません。場のエネルギーではありません。それは電子のラブ自体のエネルギーの事です。
それは電子のラブのエネルギーが減少し、電子のラブが自転できなくなる事です。
電子のラブが自転できなくなる時、電子のラブのエネルギーはいくらか。
電子のラブのエネルギー＝mｃ２÷A=電子のラブの質量×9×1016÷A=9.1095×10−31Kg×9×1016÷(1.161×1019)＝7.062×10−33J
電子のラブのエネルギーが1.161×1019分の1になり、7.062×10−33Jになると、自転もできず、それ自体としては存在できず、7.028×1017個の電磁気に分離する。
7.028×1017個に分離した質量エネルギーは、電子のラブのエネルギー÷分離した数＝7.062×10−33J÷(7.028×1017個)＝1.005×10−50J、です。
３．電子のラブや陽子のラブが自転だけを行い、更にエネルギーが減少し、電磁気に分離し、更に磁気の光子に分離したとき、分離した磁気の光子はどのようであるか。
電子のラブから分離した場合。
分離した磁気の光子の質量は、電子のラブから分離した電磁気の質量÷磁気の光子の数＝1.296×10−48Kg÷(7.96×107)＝1.628×10−56Kg、です。
分離した磁気の光子の質量エネルギーは、mc2÷A=1.628×10−56Kg×9×1016÷(1.161×1019)＝1.262×10−58J、です。
分離した磁気の光子の大きさは、電磁気の大きさ×3.14÷磁気の光子の数＝7.755×10−23m×3.14÷(7.96×107個)＝3.059×10−30m、です。
これらの、分離した磁気の光子が7.96×107個集まって“質量となる物質”になる。
陽子のラブから分離した場合。
分離した磁気の光子の質量は、陽子のラブから分離した電磁気の質量÷磁気の光子の数＝1.296×10−48Kg÷(4.34×104)＝2.986×10−53Kg、です。
分離した磁気の光子の質量エネルギーは、mc2÷A=2.986×10−53Kg×9×1016÷(2.130×1022)＝1.262×10−58J、です。
分離した磁気の光子の大きさは、電磁気の大きさ×3.14÷磁気の光子の数＝6.334×10−24m×3.14÷(4.34×104個)＝4.583×10−28m、です。
これらの、分離した磁気の光子が4.34×104個集まって“質量となる物質”になる。
４．電子のラブと陽子のラブの質量になった物質は、はたして、ビッグバンの以前、電子のラブができる以前に存在したのか、存在しなかったのか。もし存在しなかったとしたら、電子のラブと陽子のラブの質量になった物質は、放出した電磁気でできたと考えられる。どのようにして、放出した電磁気で、電子のラブの質量と陽子のラブの質量はできたか。
質量は電磁気の最小単位である磁気の光子のエネルギーが質量に変換されたと考える。1つの電磁気の輪には、7.96×107個の磁気の光子が存在する。
1個の磁気の光子の質量は、１つの電磁気の質量÷磁気の光子の数＝1.296×10−48Kg÷(7.96×107個)＝1.628×10−56Kg、です。
1個の磁気の光子のエネルギーは、1個の電磁気のエネルギー÷磁気の光子の数＝1個の電磁気のエネルギー÷(7.96×107個)
質量ができた場のエネルギーを地表のA倍とする。
E=mc2×Aであるから、1個の磁気の光子のエネルギー＝1個の磁気の光子の質量×9×1016×A、です。
1個の電磁気のエネルギー÷(7.96×107個)＝1.628×10−56Kg×9×1016×A
A=1個の電磁気のエネルギー÷(7.96×107個)÷(1.628×10−56Kg×9×1016)＝1個の電磁気のエネルギー÷(7.96×107個)÷(1.465×10−39J)
この式により質量ができた場のAを求める。
1eVの場合。
1個の磁気の光子のエネルギーは、1.602×10−19J÷(7.96×107個)＝2.013×10−27J、です。この質量は1.628×10−56Kgです。
2.013×10−27J＝1.628×10−56Kg×9×1016×A
A=2.013×10−27J÷(1.628×10−56Kg×9×1016)＝2.013×10−27J÷(1.465×10−39J)＝1.374×1012
質量は、A=1.374×1012の場でできた。
2.154×10−19Jの場合。
1個の磁気の光子のエネルギーは、2.154×10−19J÷(7.96×107個)＝2.706×10−27J、です。この質量は1.628×10−56Kgです。
2.706×10−27J＝1.628×10−56Kg×9×1016×A
A=2.706×10−27J÷(1.628×10−56Kg×9×1016)＝2.706×10−27J÷(1.465×10−39J)＝1.847×1012
質量は、A=1.847×1012の場でできた。
1.423×10−18Jの場合。
1個の磁気の光子のエネルギーは、1.423×10−18J÷(7.96×107個)＝1.788×10−26J、です。この質量は1.628×10−56Kgです。
1.788×10−26J＝1.628×10−56Kg×9×1016×A
A=1.788×10−26J÷(1.628×10−56Kg×9×1016)＝1.788×10−28J÷(1.465×10−39J)＝1.220×1013
質量は、A=1.220×1013の場でできた。
1.233×10−17Jの場合。
1個の磁気の光子のエネルギーは、1.233×10−17J÷(7.96×107個)＝1.549×10−25J、です。この質量は1.628×10−56Kgです。
1.549×10−25J＝1.628×10−56Kg×9×1016×A
A=1.549×10−25J÷(1.628×10−56Kg×9×1016)＝1.549×10−25J÷(1.465×10−39J)＝1.057×1014
質量は、A=1.057×1014の場でできた。
4.499×10−15Jの場合。
1個の磁気の光子のエネルギーは、4.499×10−15J÷(7.96×107個)＝5.652×10−23J、です。この質量は1.628×10−56Kgです。
5.652×10−23J＝1.628×10−56Kg×9×1016×A
A=5.652×10−23J÷(1.628×10−56Kg×9×1016)＝5.652×10−23J÷(1.465×10−39J)＝3.858×1016
質量は、A=3.858×1016の場でできた。
５．質量ができた場のAは、放出した電磁気のエネルギーの何倍か。
質量ができた場のA÷放出した電磁気のエネルギー、を求める。
１eVの場合。
質量ができた場のA÷放出した電磁気のエネルギー＝1.374×1012÷(1.602×10−19J)＝8.577×1030(倍)
2.154×10−19Jの場合。
質量ができた場のA÷放出した電磁気のエネルギー＝1.847×1012÷(2.154×10−19J)＝8.574×1030(倍)
1.423×10−18Jの場合。
質量ができた場のA÷放出した電磁気のエネルギー＝1.220×1013÷(1.423×10−18J)＝8.573×1030(倍)
1.233×10−17Jの場合。
質量ができた場のA÷放出した電磁気のエネルギー＝1.057×1014÷(1.233×10−17J)＝8.573×1030(倍)
4.499×10−15Jの場合。
質量ができた場のA÷放出した電磁気のエネルギー＝3.858×1016÷(4.499×10−15J)＝8.575×1030(倍)
よって、質量ができた場のAは、放出した電磁気のエネルギーの8.574×1030倍です。
質量ができた場は、放出した電磁気のエネルギーの8.574×1030倍のエネルギーの場です。
質量ができた場のA＝8.574×1030a
６．質量ができた場のAと、電子のラブができた場のAと陽子のラブができた場のAとの関係はどのようであるか。
一般式より求める。
陽子のラブができる場のA÷電子のラブができる場のA=3.421×1041a÷(1.865×1038a)=1.834×103
電子のラブができる場のA÷質量ができた場のA＝1.865×1038a÷(8.574×1030a)＝2.175×107
陽子のラブができる場のAは電子のラブができる場のAの1.834×103倍です。
電子のラブができる場のAは質量ができた場のAの2.175×107倍です。
７．質量ができた場において、磁気の光子の大きさはいくらか。
質量ができた場において、磁気の光子の大きさ＝3.14×電磁気の軌道÷磁気の光子の数÷A、を求める。
電磁気の軌道＝1.233×10−41Jm÷電磁気のエネルギー
よって、磁気の光子の大きさ＝3.14×電磁気の軌道÷磁気の光子の数÷A=3.14×1.233×10−41Jm÷電磁気のエネルギー÷(7.96×107個)÷A＝4.864×10−49÷電磁気のエネルギー÷A
１eVの場合。
4.864×10−49÷電磁気のエネルギー÷A＝4.864×10−49÷(1.602×10−19J)÷(1.374×1012)＝2.210×10−42m。
2.154×10−19Jの場合。
4.864×10−49÷電磁気のエネルギー÷A＝4.864×10−49÷(2.154×10−19J)÷(1.847×1012)＝1.223×10−42m。
1.423×10−18Jの場合。
4.864×10−49÷電磁気のエネルギー÷A＝4.864×10−49÷(1.423×10−18J)÷(1.220×1013)＝2.802×10−44m。
1.233×10−17Jの場合。
4.864×10−49÷電磁気のエネルギー÷A＝4.864×10−49÷(1.233×10−17J)÷(1.057×1014)＝3.732×10−46m。
4.499×10−15Jの場合。
4.864×10−49÷電磁気のエネルギー÷A＝4.864×10−49÷(4.499×10−15J)÷(3.858×1016)＝2.802×10−51m。
８．質量ができた場において、磁気の光子はどのようであったか。
質量ができた場において、磁気の光子は、磁気の光子の大きさに、1.628×10−56Kgの質量を持った。磁気の光子の質量÷磁気の光子の大きさはいくらか。磁気の光子の質量エネルギーは、E=mc2×Aです。
１eVの場合。
磁気の光子の質量ができた場、A=1.374×1012において、磁気の光子は、磁気の光子の大きさ2.210×10−42mに、1.628×10−56Kgの質量を持った。
磁気の光子の質量÷磁気の光子の大きさ＝1.628×10−56Kg÷(2.210×10−42m)＝7.367×10−15Kg/m。
磁気の光子の質量エネルギーは、E=mc2×A＝1.628×10−56Kg×9×1016×1.374×1012＝2.013×10−27J、です。
2.154×10−19Jの場合。
磁気の光子の質量ができた場、A=1.847×1012において、磁気の光子は、磁気の光子の大きさ1.223×10−42mに、1.628×10−56Kgの質量を持った。
磁気の光子の質量÷磁気の光子の大きさ＝1.628×10−56Kg÷(1.223×10−42m)＝1.331×10−14Kg/m。
磁気の光子の質量エネルギーは、E=mc2×A＝1.628×10−56Kg×9×1016×1.847×1012＝2.706×10−27J、です。
1.423×10−18Jの場合。
磁気の光子の質量ができた場、A=1.220×1013において、磁気の光子は、磁気の光子の大きさ2.802×10−44mに、1.628×10−56Kgの質量を持った。
磁気の光子の質量÷磁気の光子の大きさ＝1.628×10−56Kg÷(2.802×10−44m)＝5.810×10−13Kg/m。
磁気の光子の質量エネルギーは、E=mc2×A＝1.628×10−56Kg×9×1016×1.220×1013＝1.788×10−26J、です。
1.233×10−17Jの場合。
磁気の光子の質量ができた場、A=1.057×1014において、磁気の光子は、磁気の光子の大きさ3.732×10−46に、1.628×10−56Kgの質量を持った。
磁気の光子の質量÷磁気の光子の大きさ＝1.628×10−56Kg÷(3.732×10−46)＝4.362×10−11Kg/m。
磁気の光子の質量エネルギーは、E=mc2×A＝1.628×10−56Kg×9×1016×1.057×1014＝1.549×10−25J、です。
4.499×10−15Jの場合。
磁気の光子の質量ができた場、A=3.858×1016において、磁気の光子は、磁気の光子の大きさ2.802×10−51m に、1.628×10−56Kgの質量を持った。
磁気の光子の質量÷磁気の光子の大きさ＝1.628×10−56Kg÷(2.802×10−51m)＝5.810×10−6Kg/m。
磁気の光子の質量エネルギーは、E=mc2×A＝1.628×10−56Kg×9×1016×3.858×1016＝5.653×10−23J、です。
９．質量ができた場において、磁気の光子はどのようになったか。
質量をもった磁気の光子は、7.96×107個集まって、1.628×10−56Kg×7.96×107個＝1.296×10−48Kgの質量になった。
これが1個の電磁気の質量です。
質量エネルギーは、E=mc2×A、です。
１eVの場合。
質量ができた場、A=1.374×1012において、磁気の光子は7.96×107個集まって、1.296×10−48Kgの質量になった。
質量エネルギーは、E=mc2×A＝1.296×10−48Kg×9×1016×1.374×1012＝1.603×10−19J、です。
2.154×10−19Jの場合。
質量ができた場、A=1.847×1012において、磁気の光子は7.96×107個集まって、1.296×10−48Kgの質量になった。
質量エネルギーは、E=mc2×A＝1.296×10−48Kg×9×1016×1.847×1012＝2.154×10−19J、です。
1.423×10−18Jの場合。
質量ができた場、A=1.220×1013において、磁気の光子は7.96×107個集まって、1.296×10−48Kgの質量になった。
質量エネルギーは、E=mc2×A＝1.296×10−48Kg×9×1016×1.220×1013＝1.423×10−18J、です。
1.233×10−17Jの場合。
質量ができた場、A=1.057×1014において、磁気の光子は7.96×107個集まって、1.296×10−48Kgの質量になった。
質量エネルギーは、E=mc2×A＝1.296×10−48Kg×9×1016×1.057×1014＝1.233×10−1７J、です。
4.499×10−15Jの場合。
質量ができた場、A=3.858×1016において、磁気の光子は7.96×107個集まって、1.296×10−48Kgの質量になった。
質量エネルギーは、E=mc2×A＝1.296×10−48Kg×9×1016×3.858×1016＝4.500×10−15J、です。
１０．電子のラブと陽子のラブの質量になった物質は、はたして、ビッグバンの以前、電子のラブができる以前に存在したのか、存在しなかったのか。どちらが正しいか。
もし、電子のラブと陽子のラブの質量になった物質は、ビッグバンの以前、電子のラブができる以前に存在したとすると、宇宙ができた時、宇宙の1番初めにも、電子のラブと陽子のラブの質量になった物質は存在したことになる。電子のラブと陽子のラブの質量になった物質は存在したのであれば、この状態は物質が存在した状態であり、宇宙の1番初めでは無い。よって、電子のラブと陽子のラブの質量になった物質は、電子のラブができる以前に存在しなかった。
【図面の簡単な説明】
【０００７】
【図１】図1は、“この宇宙ができる以前の宇宙”で、−273℃の場で、自転だけしている電子のラブは、自分のエネルギーを7.028×1017分の1にし、7.028×1017個の電磁気に分離する。1.296×10−48Kgの電磁気になる。更に電磁気は、7.96×107個の磁気の光子に分離する。1.628×10−56Kgの磁気の光子になる。それから、1.628×10−56Kgの磁気の光子は7.96×107個集まり、“質量になる物質”になる。
【図２】図2は、電子のラブと陽子のラブの質量になった物質は、はたして、ビッグバンの以前、電子のラブができる以前に存在したのか、存在しなかったのか。もし存在しなかったとしたら、電子のラブと陽子のラブの“質量になった物質”は、放出した電磁気でできたと考えられる。質量は電磁気の最小単位である磁気の光子のエネルギーが質量に変換されたと考える。質量ができた場のエネルギーを地表のA倍とする。E=mc2×Aであるから、1個の磁気の光子のエネルギー＝1個の磁気の光子の質量×9×1016×A、です。磁気の光子1個の質量は1.628×10−56Kgです。1個の磁気の光子のエネルギーは1個の電磁気のエネルギー÷(7.96×107)です。これよりAを求める。そして、Aの場でできる、1.628×10−56Kgの磁気の光子の磁気の光子の大きさは4.864×10−49÷電磁気のエネルギー÷A、です。この磁気の光子が7.96×107個集まり、“質量になる物質”になる。
【発明を実施するための形態】
【０００８】
１．電子のラブと陽子のラブの質量になった物質は、はたして、ビッグバンの以前、電子のラブができる以前に存在したのか、存在しなかったのか。もし、存在したならば、それは、“この宇宙ができる以前の宇宙”で存在したと考えられる。“この宇宙ができる以前の宇宙”で、どのように“質量となる物質”はできたのか。
“質量となる物質”は“この宇宙ができる以前の宇宙”でできた。“質量となる物質”は“この宇宙ができる以前の宇宙”で電子のラブと陽子のラブであった。
“この宇宙ができる以前の宇宙”で電子のラブと陽子のラブはどのようにして“質量となる物質”になったか。
私は、特願2007−133476、において、次のように記した。
(ダークマターは、−273℃の場に存在し、公転できず、自転だけしている電子のラブと陽子のラブです。
−273℃の場で、電子のラブの公転軌道は、1.058×10−10m×(273)1/2＝1.058×10−10m×16.523＝1.748×10−9mです。
電子のラブの速度は、3.14×公転軌道×1秒間の公転数＝3.14×1.748×10−9m×(7.96×10７)2公転＝3.478×107mになり、光速に近くなり、公転できなくなる。それで、電子のラブは自転だけする。
−273℃の場で、陽子のラブの公転軌道は、5.764×10−14m×(273)1/2＝5.764×10−14m×16.523＝9.524×10−13mです。
陽子のラブの速度は、3.14×公転軌道×1秒間の公転数＝3.14×9.524×10−13m×7.96×107×4.34×104公転＝1.033×10mになり、公転できなくなる。それで、陽子のラブは公転できなくなり自転だけする。)
このダークマターは、更にエネルギーが減少し、1個の電磁気に分離する。電子のラブは、自転しているものが、7.028×1017個の電磁気に分離する。陽子のラブは自転しているものが、1.289×1021個の電磁気に分離する。
・それでは、どのように電子のラブは、自転しているものが、7.028×1017個の電磁気に分離するのでしょうか。
電子のラブが生成するときには、エネルギーが増加する必要があった。
電子のラブが崩壊するときには、エネルギーが減少する必要がある。
A=−2731/2の場で自転する。更に−7.028×1017の場で7.028×1017個の電磁気に分離する。
A=−2731/2×7.028×1017＝−16.523×7.028×1017＝−1.161×1019、の場で、7.028×1017個の電磁気に分離する。
電子のラブが7.028×1017個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(1.161×1019)＝10−50J、です。
電子のラブは、自転しているものが、7.028×1017個の電磁気に分離した。1個の電磁気の大きさはいくらか。
−273℃の場の電子のラブの自転軌道は、3.14×公転軌道÷1公転の自転数＝3.14×1.058×10−10m×(273)1/2÷(7.96×10７)＝3.14×1.748×10−9m÷(7.96×10７)＝6.895×10−17m、です。
これが、7.028×1017個の電磁気に分離するのですから、１辺の電磁気の個数は、(7.028×1017個)1/3=(702.8×1015個)1/3=8.891×105個、です。
電磁気1個の直径は、6.895×10−17m÷(8.891×105個)＝7.755×10−23m、です。
よって、電子のラブから分離した電磁気の性質は、質量は1.296×10−48Kgです。質量エネルギーは10−50Jです。大きさは7.755×10−23mです。
・それでは、どのように陽子のラブは、自転しているものが、1.289×1021個の電磁気に分離するのでしょうか。
A=−2731/2の場で自転する。更に−1.289×1021の場で1.289×1021個の電磁気に分離する。
A=−2731/2×1.289×1021＝−16.523×1.289×1021＝−2.130×1022、の場で、1.289×1021個の電磁気に分離する。
陽子のラブが1.289×1021個の電磁気に分離した。分離した1個の電磁気のエネルギーは、E=mc2÷Aです。(Aの値が−の場合、エネルギーは減少するので÷になる)
それで、E=1.296×10−48Kg×9×1016÷(2.130×1022)＝5.476×10−54J、です。
陽子のラブは、自転しているものが、1.289×1021個の電磁気に分離した。1個の電磁気の大きさはいくらか。
−273℃の場の陽子のラブの自転軌道は、3.14×公転軌道÷1公転の自転数＝3.14×5.764×10−14m×(273)1/2÷(4.34×104)＝3.14×9.524×10−13m÷(4.34×104)＝6.891×10−17m、です。
これが、1.289×1021個の電磁気に分離するのですから、１辺の電磁気の個数は、(1.289×1021個)1/3=1.088×107個、です。
電磁気1個の直径は、6.891×10−17m÷(1.088×107個)＝6.334×10−24m、です。
よって、陽子のラブから分離した電磁気の性質は、質量は1.296×10−48Kgです。質量エネルギーは5.476×10−54J です。大きさは6.334×10−24m です。
２．−273℃以下の温度は存在しません。−(7.028×1017)2℃の温度は存在しません。それでは、A=−1.161×1019の場とはどのようなことでしょうか。
それは、場の温度ではありません。場のエネルギーではありません。それは電子のラブ自体のエネルギーの事です。
それは電子のラブのエネルギーが減少し、電子のラブが自転できなくなる事です。
電子のラブが自転できなくなる時、電子のラブのエネルギーはいくらか。
電子のラブのエネルギー＝mｃ２÷A=電子のラブの質量×9×1016÷A=9.1095×10−31Kg×9×1016÷(1.161×1019)＝7.062×10−33J
電子のラブのエネルギーが1.161×1019分の1になり、7.062×10−33Jになると、自転もできず、それ自体としては存在できず、7.028×1017個の電磁気に分離する。
7.028×1017個に分離した質量エネルギーは、電子のラブのエネルギー÷分離した数＝7.062×10−33J÷(7.028×1017個)＝1.005×10−50J、です。
３．電子のラブや陽子のラブが自転だけを行い、更にエネルギーが減少し、電磁気に分離し、更に磁気の光子に分離したとき、分離した磁気の光子はどのようであるか。
電子のラブから分離した場合。
分離した磁気の光子の質量は、電子のラブから分離した電磁気の質量÷磁気の光子の数＝1.296×10−48Kg÷(7.96×107)＝1.628×10−56Kg、です。
分離した磁気の光子の質量エネルギーは、mc2÷A=1.628×10−56Kg×9×1016÷(1.161×1019)＝1.262×10−58J、です。
分離した磁気の光子の大きさは、電磁気の大きさ×3.14÷磁気の光子の数＝7.755×10−23m×3.14÷(7.96×107個)＝3.059×10−30m、です。
これらの、分離した磁気の光子が7.96×107個集まって“質量となる物質”になる。
陽子のラブから分離した場合。
分離した磁気の光子の質量は、陽子のラブから分離した電磁気の質量÷磁気の光子の数＝1.296×10−48Kg÷(4.34×104)＝2.986×10−53Kg、です。
分離した磁気の光子の質量エネルギーは、mc2÷A=2.986×10−53Kg×9×1016÷(2.130×1022)＝1.262×10−58J、です。
分離した磁気の光子の大きさは、電磁気の大きさ×3.14÷磁気の光子の数＝6.334×10−24m×3.14÷(4.34×104個)＝4.583×10−28m、です。
これらの、分離した磁気の光子が4.34×104個集まって“質量となる物質”になる。
まとめて表に示す。
表2
2012085427.tif 000004
４．電子のラブと陽子のラブの質量になった物質は、はたして、ビッグバンの以前、電子のラブができる以前に存在したのか、存在しなかったのか。もし存在しなかったとしたら、電子のラブと陽子のラブの質量になった物質は、放出した電磁気でできたと考えられる。どのようにして、放出した電磁気で、電子のラブの質量と陽子のラブの質量はできたか。
質量は電磁気の最小単位である磁気の光子のエネルギーが質量に変換されたと考える。1つの電磁気の輪には、7.96×107個の磁気の光子が存在する。
1個の磁気の光子の質量は、１つの電磁気の質量÷磁気の光子の数＝1.296×10−48Kg÷(7.96×107個)＝1.628×10−56Kg、です。
1個の磁気の光子のエネルギーは、1個の電磁気のエネルギー÷磁気の光子の数＝1個の電磁気のエネルギー÷(7.96×107個)
質量ができた場のエネルギーを地表のA倍とする。
E=mc2×Aであるから、1個の磁気の光子のエネルギー＝1個の磁気の光子の質量×9×1016×A、です。
1個の電磁気のエネルギー÷(7.96×107個)＝1.628×10−56Kg×9×1016×A
A=1個の電磁気のエネルギー÷(7.96×107個)÷(1.628×10−56Kg×9×1016)＝1個の電磁気のエネルギー÷(7.96×107個)÷(1.465×10−39J)
この式により質量ができた場のAを求める。
1eVの場合。
1個の磁気の光子のエネルギーは、1.602×10−19J÷(7.96×107個)＝2.013×10−27J、です。この質量は1.628×10−56Kgです。
2.013×10−27J＝1.628×10−56Kg×9×1016×A
A=2.013×10−27J÷(1.628×10−56Kg×9×1016)＝2.013×10−27J÷(1.465×10−39J)＝1.374×1012
質量は、A=1.374×1012の場でできた。
2.154×10−19Jの場合。
1個の磁気の光子のエネルギーは、2.154×10−19J÷(7.96×107個)＝2.706×10−27J、です。この質量は1.628×10−56Kgです。
2.706×10−27J＝1.628×10−56Kg×9×1016×A
A=2.706×10−27J÷(1.628×10−56Kg×9×1016)＝2.706×10−27J÷(1.465×10−39J)＝1.847×1012
質量は、A=1.847×1012の場でできた。
1.423×10−18Jの場合。
1個の磁気の光子のエネルギーは、1.423×10−18J÷(7.96×107個)＝1.788×10−26J、です。この質量は1.628×10−56Kgです。
1.788×10−26J＝1.628×10−56Kg×9×1016×A
A=1.788×10−26J÷(1.628×10−56Kg×9×1016)＝1.788×10−28J÷(1.465×10−39J)＝1.220×1013
質量は、A=1.220×1013の場でできた。
1.233×10−17Jの場合。
1個の磁気の光子のエネルギーは、1.233×10−17J÷(7.96×107個)＝1.549×10−25J、です。この質量は1.628×10−56Kgです。
1.549×10−25J＝1.628×10−56Kg×9×1016×A
A=1.549×10−25J÷(1.628×10−56Kg×9×1016)＝1.549×10−25J÷(1.465×10−39J)＝1.057×1014
質量は、A=1.057×1014の場でできた。
4.499×10−15Jの場合。
1個の磁気の光子のエネルギーは、4.499×10−15J÷(7.96×107個)＝5.652×10−23J、です。この質量は1.628×10−56Kgです。
5.652×10−23J＝1.628×10−56Kg×9×1016×A
A=5.652×10−23J÷(1.628×10−56Kg×9×1016)＝5.652×10−23J÷(1.465×10−39J)＝3.858×1016
質量は、A=3.858×1016の場でできた。
５．質量ができた場のAは、放出した電磁気のエネルギーの何倍か。
質量ができた場のA÷放出した電磁気のエネルギー、を求める。
１eVの場合。
質量ができた場のA÷放出した電磁気のエネルギー＝1.374×1012÷(1.602×10−19J)＝8.577×1030(倍)
2.154×10−19Jの場合。
質量ができた場のA÷放出した電磁気のエネルギー＝1.847×1012÷(2.154×10−19J)＝8.574×1030(倍)
1.423×10−18Jの場合。
質量ができた場のA÷放出した電磁気のエネルギー＝1.220×1013÷(1.423×10−18J)＝8.573×1030(倍)
1.233×10−17Jの場合。
質量ができた場のA÷放出した電磁気のエネルギー＝1.057×1014÷(1.233×10−17J)＝8.573×1030(倍)
4.499×10−15Jの場合。
質量ができた場のA÷放出した電磁気のエネルギー＝3.858×1016÷(4.499×10−15J)＝8.575×1030(倍)
よって、質量ができた場のAは、放出した電磁気のエネルギーの8.574×1030倍です。
質量ができた場は、放出した電磁気のエネルギーの8.574×1030倍のエネルギーの場です。
質量ができた場のA＝8.574×1030a
６．質量ができた場のAと、電子のラブができた場のAと陽子のラブができた場のAとの関係はどのようであるか。
一般式より求める。
陽子のラブができる場のA÷電子のラブができる場のA=3.421×1041a÷(1.865×1038a)=1.834×103
電子のラブができる場のA÷質量ができた場のA＝1.865×1038a÷(8.574×1030a)＝2.175×107
陽子のラブができる場のAは電子のラブができる場のAの1.834×103倍です。
電子のラブができる場のAは質量ができた場のAの2.175×107倍です。
７．質量ができた場において、磁気の光子の大きさはいくらか。
質量ができた場において、磁気の光子の大きさ＝3.14×電磁気の軌道÷磁気の光子の数÷A、を求める。
電磁気の軌道＝1.233×10−41Jm÷電磁気のエネルギー
よって、磁気の光子の大きさ＝3.14×電磁気の軌道÷磁気の光子の数÷A=3.14×1.233×10−41Jm÷電磁気のエネルギー÷(7.96×107個)÷A＝4.864×10−49÷電磁気のエネルギー÷A
１eVの場合。
4.864×10−49÷電磁気のエネルギー÷A＝4.864×10−49÷(1.602×10−19J)÷(1.374×1012)＝2.210×10−42m。
2.154×10−19Jの場合。
4.864×10−49÷電磁気のエネルギー÷A＝4.864×10−49÷(2.154×10−19J)÷(1.847×1012)＝1.223×10−42m。
1.423×10−18Jの場合。
4.864×10−49÷電磁気のエネルギー÷A＝4.864×10−49÷(1.423×10−18J)÷(1.220×1013)＝2.802×10−44m。
1.233×10−17Jの場合。
4.864×10−49÷電磁気のエネルギー÷A＝4.864×10−49÷(1.233×10−17J)÷(1.057×1014)＝3.732×10−46m。
4.499×10−15Jの場合。
4.864×10−49÷電磁気のエネルギー÷A＝4.864×10−49÷(4.499×10−15J)÷(3.858×1016)＝2.802×10−51m。
８．質量ができた場において、磁気の光子はどのようであったか。
質量ができた場において、磁気の光子は、磁気の光子の大きさに、1.628×10−56Kgの質量を持った。磁気の光子の質量÷磁気の光子の大きさはいくらか。磁気の光子の質量エネルギーは、E=mc2×Aです。
１eVの場合。
磁気の光子の質量ができた場、A=1.374×1012において、磁気の光子は、磁気の光子の大きさ2.210×10−42mに、1.628×10−56Kgの質量を持った。
磁気の光子の質量÷磁気の光子の大きさ＝1.628×10−56Kg÷(2.210×10−42m)＝7.367×10−15Kg/m。
磁気の光子の質量エネルギーは、E=mc2×A＝1.628×10−56Kg×9×1016×1.374×1012＝2.013×10−27J、です。
2.154×10−19Jの場合。
磁気の光子の質量ができた場、A=1.847×1012において、磁気の光子は、磁気の光子の大きさ1.223×10−42mに、1.628×10−56Kgの質量を持った。
磁気の光子の質量÷磁気の光子の大きさ＝1.628×10−56Kg÷(1.223×10−42m)＝1.331×10−14Kg/m。
磁気の光子の質量エネルギーは、E=mc2×A＝1.628×10−56Kg×9×1016×1.847×1012＝2.706×10−27J、です。
1.423×10−18Jの場合。
磁気の光子の質量ができた場、A=1.220×1013において、磁気の光子は、磁気の光子の大きさ2.802×10−44mに、1.628×10−56Kgの質量を持った。
磁気の光子の質量÷磁気の光子の大きさ＝1.628×10−56Kg÷(2.802×10−44m)＝5.810×10−13Kg/m。
磁気の光子の質量エネルギーは、E=mc2×A＝1.628×10−56Kg×9×1016×1.220×1013＝1.788×10−26J、です。
1.233×10−17Jの場合。
磁気の光子の質量ができた場、A=1.057×1014において、磁気の光子は、磁気の光子の大きさ3.732×10−46に、1.628×10−56Kgの質量を持った。
磁気の光子の質量÷磁気の光子の大きさ＝1.628×10−56Kg÷(3.732×10−46)＝4.362×10−11Kg/m。
磁気の光子の質量エネルギーは、E=mc2×A＝1.628×10−56Kg×9×1016×1.057×1014＝1.549×10−25J、です。
4.499×10−15Jの場合。
磁気の光子の質量ができた場、A=3.858×1016において、磁気の光子は、磁気の光子の大きさ2.802×10−51m に、1.628×10−56Kgの質量を持った。
磁気の光子の質量÷磁気の光子の大きさ＝1.628×10−56Kg÷(2.802×10−51m)＝5.810×10−6Kg/m。
磁気の光子の質量エネルギーは、E=mc2×A＝1.628×10−56Kg×9×1016×3.858×1016＝5.653×10−23J、です。
９．質量ができた場において、磁気の光子はどのようになったか。
質量をもった磁気の光子は、7.96×107個集まって、1.628×10−56Kg×7.96×107個＝1.296×10−48Kgの質量になった。
これが1個の電磁気の質量です。
質量エネルギーは、E=mc2×A、です。
１eVの場合。
質量ができた場、A=1.374×1012において、磁気の光子は7.96×107個集まって、1.296×10−48Kgの質量になった。
質量エネルギーは、E=mc2×A＝1.296×10−48Kg×9×1016×1.374×1012＝1.603×10−19J、です。
2.154×10−19Jの場合。
質量ができた場、A=1.847×1012において、磁気の光子は7.96×107個集まって、1.296×10−48Kgの質量になった。
質量エネルギーは、E=mc2×A＝1.296×10−48Kg×9×1016×1.847×1012＝2.154×10−19J、です。
1.423×10−18Jの場合。
質量ができた場、A=1.220×1013において、磁気の光子は7.96×107個集まって、1.296×10−48Kgの質量になった。
質量エネルギーは、E=mc2×A＝1.296×10−48Kg×9×1016×1.220×1013＝1.423×10−18J、です。
1.233×10−17Jの場合。
質量ができた場、A=1.057×1014において、磁気の光子は7.96×107個集まって、1.296×10−48Kgの質量になった。
質量エネルギーは、E=mc2×A＝1.296×10−48Kg×9×1016×1.057×1014＝1.233×10−1７J、です。
4.499×10−15Jの場合。
質量ができた場、A=3.858×1016において、磁気の光子は7.96×107個集まって、1.296×10−48Kgの質量になった。
質量エネルギーは、E=mc2×A＝1.296×10−48Kg×9×1016×3.858×1016＝4.500×10−15J、です。
まとめて表に記す。
表3
2012085427.tif 000005
１０．電子のラブと陽子のラブの質量になった物質は、はたして、ビッグバンの以前、電子のラブができる以前に存在したのか、存在しなかったのか。どちらが正しいか。
もし、電子のラブと陽子のラブの質量になった物質は、ビッグバンの以前、電子のラブができる以前に存在したとすると、宇宙ができた時、宇宙の1番初めにも、電子のラブと陽子のラブの質量になった物質は存在したことになる。電子のラブと陽子のラブの質量になった物質は存在したのであれば、この状態は物質が存在した状態であり、宇宙の1番初めでは無い。よって、電子のラブと陽子のラブの質量になった物質は、電子のラブができる以前に存在しなかった。
【産業上の利用可能性】
【０００９】
物質の原初、ビッグバンの以前の様子、電子のラブと陽子のラブがどのようにできたかを理解する事は科学の発展に役立つ。
【符号の説明】
【００１０】
１    −273℃の場で、自転だけしている電子のラブ
２    分離した7.028×1017個の電磁気
３    分離した7.96×107個の磁気の光子
４    1.628×10−56Kgの磁気の光子
５    磁気の光子は7.96×107個集まり、“質量になる物質”になる
６    質量ができた場の電磁気
７    1.628×10−56Kgの磁気の光子
８    磁気の光子は7.96×107個集まり、“質量になる物質”になる
【図１】
2012085427.tif 000006
【図２】
2012085427.tif 000007